(57)【要約】【課題】腕金による占有領域を最小限に抑えられるようにするとともに、美観の低下を最低限に抑えられるようにする。【解決手段】互いに高さを違えて、電柱５から突き出すように取り付けられる腕金部材１０及び２０と、所定の長さを有して、長さ方向の一方の端部を腕金部材１０の所定部位に連結されるとともに、他方の端部を腕金部材２０の所定部位に連結され、側部に電線を取り付けられる連結部材３０とを備え、腕金部材１０及び２０の先端部であって、連結部材３０を連結された所定部位より外側に、延長用の腕金取付部１２及び２２が設けられている。この構成によって、簡単に延長腕金を取り付けられるので、容易に腕金の長さを変更できるようになる。【選択図】      図１
2009065804.tif 000002
【特許請求の範囲】
【請求項１】
互いに高さを違えて、電線支持物から突き出すように取り付けられる第１及び第２の腕金部材と、
所定の長さを有して、長さ方向の一方の端部を前記第１の腕金部材の所定部位に連結されるとともに、他方の端部を前記第２の腕金部材の所定部位に連結され、側部に電線を取り付けられる連結部材とを備え、
前記第１及び第２の腕金部材の先端部であって、前記連結部材を連結された所定部位より外側に、延長用の腕金取付部が設けられることを特徴とする共架用構造具。
【請求項２】
前記連結部材は、
前記電線支持物から所定距離を有する前記第１の腕金部材の所定部位に、一方の端部を連結されるとともに、
前記電線支持物から所定距離を有する前記第２の腕金部材の所定部位に、他方の端部を連結されることを特徴とする請求項１に記載の共架用構造具。
【請求項３】
前記第１の腕金部材の腕金取付部には、
所定の長さを有して、側面に電線を取り付けられる第１の延長腕金の端部が連結され、
前記第２の腕金部材の腕金取付部には、
所定の長さを有して、側面に電線を取り付けられる第２の延長腕金の端部が連結されることを特徴とする請求項１に記載の共架用構造具。
【請求項４】
前記第１及び第２の延長腕金には、
所定の長さを有して、側面に電線を取り付けられる連結腕金が連結され、
前記連結腕金は、長さ方向の一方の端部を前記第１の延長腕金の先端部に連結されるとともに、他方の端部を前記第２の延長腕金の先端部に連結されることを特徴とする請求項３に記載の共架用構造具。
【発明の詳細な説明】
【技術分野】
【０００１】
この発明は、電線支持物に設置される共架物一括取付型の突き出し金物に適用可能な共架用構造具に関する。詳しくは、所定部位に連結部材を連結されるとともに、先端部に延長用の腕金取付部を設けられた第１及び第２の腕金部材を備え、容易に腕金の長さを変更できるようにして、腕金による占有領域を最小限に抑えられるようにするとともに、美観の低下を最低限に抑えられるようにしたものである。
【背景技術】
【０００２】
現在、特に都市部では、ビル等の構造物が密集化するとともに、緑化保全の為に街路樹が増加している。これらとの離隔を確保する為、また都市の景観を低下させない為、架空配線設備には、占有スペースの縮小化が求められている。
【０００３】
一方、架空配線設備に支持される電線やケーブル等の共架物は、光通信ケーブルのような高速通信回線や専用通信回線等の増設により増加方向にある。従って、電柱や鉄柱等の電線支持物には、小さいスペースに多くの共架物を支持する必要が生じている。こうした場合には、小型化、薄型化され、取付ポイントが多い腕金や金物が用いられることが多い。
【０００４】
これに関連して、特許文献１に示すような電柱用共架腕金が開示されている。この電柱用共架腕金によれば、電柱に取り付けられる腕金部材と、腕金部材を電柱に対し傾斜させて取付支持する支持部材とを備え、腕金部材の内側外側のいずれか又は両側に通信線を保持するようになされる。このように構成すると、腕金の上下方向の距離（高さ）を少なくできるとともに、通信線の取付ポイントを増加できるようになるというものである。
【０００５】
【特許文献１】特開２００７−６６６２号公報（第３頁、図１）
【発明の開示】
【発明が解決しようとする課題】
【０００６】
しかし特許文献１に係る電柱用共架腕金によれば、設置時の共架物の数に合わせた取付ポイントの腕金を取り付けると、後で共架物を追加することが難しい。また、共架物が追加される可能性を考慮して、必要以上に大きい腕金を取り付けると、腕金による無駄な占有スペースが生じるという問題がある。
【０００７】
そこで、本発明は上述の問題に鑑み創作されたものであり、設置後に容易に延長腕金を取り付けられるようにして、腕金による占有領域を最小限に抑えられるようにするとともに、美観の低下を最低限に抑えられるようにした共架用構造具を提供することを目的とする。
【課題を解決するための手段】
【０００８】
この発明に係る共架用構造具は、互いに高さを違えて、電線支持物から突き出すように取り付けられる第１及び第２の腕金部材と、所定の長さを有して、長さ方向の一方の端部を第１の腕金部材の所定部位に連結されるとともに、他方の端部を第２の腕金部材の所定部位に連結され、側部に電線を取り付けられる連結部材とを備え、第１及び第２の腕金部材の先端部であって、連結部材に連結された所定部位より外側に、延長用の腕金取付部が設けられることを特徴とするものである。
【０００９】
この発明に係る共架用構造具によれば、所定部位に連結部材を連結された第１及び第２の腕金部材の先端部に、延長用の腕金取付部が設けられている。従って、簡単に延長腕金を取り付けられるので、容易に腕金の長さを変更することができる。
【発明の効果】
【００１０】
この発明に係る共架用構造具によれば、所定部位に連結部材を連結されるとともに、先端部に延長用の腕金取付部を設けられた第１及び第２の腕金部材を備えている。
【００１１】
この構成によって、簡単に延長腕金を取り付けられるので、容易に腕金の長さを変更できる。従って、電線支持物に共架するべき電線が増加した場合に、最適な長さの延長腕金を取り付けることができる。また、電線が増えた場合を想定して、必要以上に長い腕金を取り付けておく必要がないので、腕金による占有領域を抑えられるとともに、美観の低下を最低限に抑えられる。更に、電線が減った場合には、不要な延長腕金を撤去したり、短い延長腕金に変更することができる。
【発明を実施するための最良の形態】
【００１２】
続いて、この発明に係る共架用構造具について、図面を参照しながら説明をする。
【実施例１】
【００１３】
図１は本発明に係る第１の実施例としての突き出し金物１の構成例を示す斜視図である。図１に示す突き出し金物１は、共架用構造具の一例を構成し、電線等の共架物を電線支持物に支持するものである。この例の突き出し金物１は、電線支持物の一例である電柱５に複数の電線からなる共架物を一括で支持するようになされる。突き出し金物１は、腕金部材１０、２０及び連結部材３０から構成される。
【００１４】
腕金部材１０は、第１の腕金部材の一例を構成し、例えば中空の角管金物から構成される。腕金部材１０の一方の端部は、連結用バンド１４により電柱５に固定される。またこの例の腕金部材１０には、連結用バンド１４に固定される一方の端部の下側に、三角形状の補強部材１１が設けられている。
【００１５】
連結用バンド１４は一対で設けられ、それぞれが半円形状に湾曲された湾曲部１４ａと、その両端部に延在される延在部１４ｂ及び１４ｃとを有している。一対の連結用バンド１４は、延在部１４ｃで腕金部材１０を挟持するとともに、湾曲部１４ａで電柱５を挟持し、延在部１４ｂを互いに連結されて電柱５に取り付けられる。連結用バンド１４と腕金部材１０とはボルト、ナット等により連結される。
【００１６】
電柱５の腕金部材１０の上方には、腕金部材２０が取り付けられる。腕金部材２０は、第２の腕金部材の一例を構成するものであり、腕金部材１０と略同形状に構成される。腕金部材２０の一方の端部には、三角形の補強部材２１が設けられており、腕金部材２０は、補強部材２１を下側にして、連結用バンド１４で電柱５に固定される。腕金部材１０と腕金部材２０とは、電柱５から突き出すように高さを違えて取り付けられる。
【００１７】
腕金部材１０と腕金部材２０の所定部位、ここでは電柱５から１５０ｍｍ離間した部位には、連結部材３０の長さ方向の両端部が例えば溶接により連結される（図２参照）。連結部材３０は、例えば中空の角管金物で構成され、この例では長さ７５０ｍｍを有している。連結部材３０は、腕金部材１０と腕金部材２０との上下間の距離を７５０ｍｍに保持する。また連結部材３０は、中腹部の側面に、ここでは３つの孔部３０ｃを有し、それぞれの孔部３０ｃに電線８を取り付けられる（図２参照）。
【００１８】
腕金部材１０と腕金部材２０の先端部であって、連結部材３０を連結された所定部位より外側には、延長用の腕金取付部１２及び２２が設けられる。腕金取付部１２は、この例では、腕金部材１０の電柱５の反対側に位置する先端部が、横方向の両側面を所定距離だけ突出するとともに、突出した両側面にボルト用の孔部１２ａを開孔されて構成される。
【００１９】
腕金取付部１２には、必要に応じて延長腕金が取り付けられる。例えば、端部にボルト用の孔部４０ａを設けられた延長腕金４０が連結される（図４参照）。腕金取付部１２は、突出する両側面の内側に延長腕金４０の端部を係合され、孔部１２ａ及び４０ａにボルトを挿入されて軸部からナットを螺合されることにより、延長腕金４０を支持するようになされる。
【００２０】
腕金部材２０の先端部に設けられる腕金取付部２２も、腕金取付部１２と略同等に構成され、ボルト用の孔部２２ａを有する延長腕金の取付部位をなす。以上のようにして、突き出し金物１が構成される。
【００２１】
図２は、突き出し金物１への電線取付例を示す図である。図２に示す突き出し金物１の連結部材３０には、側面に３つの孔部３０ｃが設けられ、３本（３条）の電線８の取付ポイントを構成している。孔部３０ｃは、中空の角管である連結部材３０の対向する面に連通可能に開孔されている。
【００２２】
３つの孔部３０ｃは、例えば３００ｍｍ間隔で縦方向に配置される。連結部材３０の外側であって、電柱５の反対側には、孔部３０ｃに一端を挿入される連結用の取付部材７を介して電線８が取り付けられる。
【００２３】
ここで、電柱５と連結部材３０との間には、幅１５０ｍｍ、高さ７５０ｍｍの昇柱作業用の空間Ｓ１が維持される。電柱５への直付けに替えて、電線８を連結部材３０に共架するようにすると、空間Ｓ１から電線８を排除できる。従って、例えば、空間Ｓ１に胴綱を通して昇柱作業をする場合に、誤って電線８を破損することを防止できる。
【００２４】
次に、共架物の増加に応じて、突き出し金物１に延長腕金を取り付ける場合について説明をする。まず、腕金取付部と延長腕金との連結方法について説明をする。
【００２５】
図３Ａは、腕金取付部１２と延長腕金４０との連結例を示す概略断面図であり、孔部１２ａ及び４０ａを通過する垂直面による断面を示している。図３Ａに示すこの例の腕金取付部１２は、中空の角管の一端に構成される。腕金取付部１２は、上面と下面を除いた、左右の両側面を突出するようになされる。突出する両側面には、それぞれ孔部１２ａが開孔されている。
【００２６】
腕金取付部１２には、例えば中空の角管で構成される延長腕金４０が連結される。腕金取付部１２の突出する両側面の間に係合される延長腕金４０の端部には、左右の両側面に孔部４０ａが開孔されている。腕金取付部１２と延長腕金４０とは、孔部１２ａ及び４０ａにボルト６ａの軸部を挿入されて端部からナット６ｂを螺合され、互いに強固に連結される。
【００２７】
また、孔部１２ａ及び４０ａを別の位置、例えば水平方向に隣り合う位置にも開孔して、ボルト６ａ及びナット６ｂで連結し、複数の点で腕金取付部１２と延長腕金４０とを連結するようにするとよい。このようにすることで、腕金取付部１２と延長腕金４０とが更に強固に連結される。
【００２８】
図３Ｂに示す腕金取付部１２’は、延長腕金４０とのその他の連結例を示すものであり、上面を除く、両側面と下面とをコ字状に突出している。突出する両側面にはそれぞれ孔部１２ａ’が開孔されている。
【００２９】
腕金取付部１２’は、突出する下面の上、両側面の間に延長腕金４０を係合され、孔部１２ａ’及び４０ａにボルト６ａの軸部を挿入されて端部からナット６ｂを螺合される。腕金取付部１２’は、延長腕金４０を下側からも保持できるので、延長腕金４０の自重や延長腕金４０に支持される電線８の張力により、延長腕金４０が傾斜することを防止できる。
【００３０】
図３Ｃで、その他の連結例を示す腕金取付部１２''は、内形を延長腕金４０の外形と同等に構成されている。左右の両側面には、孔部１２ａ''が開孔されている。腕金取付部１２''は、内周に延長腕金４０を係合され、孔部１２ａ''及び４０ａにボルト６ａの軸部を挿入されて端部にナット６ｂを螺合される。腕金取付部１２''は、延長腕金４０を全面から保持できるので、延長腕金を堅固に支持できる。
【００３１】
ところで、この例の突き出し金物１は、連結部材３０に３つの取付ポイントを有している。この電柱５に４本目以上の電線８を共架したい場合は、まず、腕金取付部１２に延長腕金４０を増設（連結）する。
【００３２】
図４は、延長腕金４０の増設例を示す図である。図４に示す突き出し腕金１には、第１の延長腕金の一例を構成する延長腕金４０が取付られている。延長腕金４０は、中空の角管金物で構成され、一方の端部を腕金取付部１２に取り付けられる。延長腕金４０は一方の端部に孔部４０ａを開孔されている。延長腕金４０は、孔部４０ａを腕金取付部１２の孔部１２ａと合わせられ、ボルト、ナット等で突き出し金物１に固定される。
【００３３】
延長腕金４０の中腹部の側面には、例えば３００ｍｍ間隔で３つの孔部４０ｃが開孔されている。孔部４０ｃは３つの取付ポイントを構成し、３本の電線８を共架する。この例では、延長腕金４０の下側に取付部材７を介して３本の電線８が支持される。
【００３４】
延長腕金４０の先端部には、腕金取付部４２が設けられている。腕金取付部４２は、腕金取付部１２と同様に、左右の両側面を突出するように構成されており、突出する両側面にはボルト用の孔部４２ａが開孔されている。
【００３５】
突き出し金物１に延長腕金４０を取り付けると、合計６本の電線８を支持できるようになる。またここで、新たに架橋する電線が２つ以下であった場合には、それに見あった長さの延長腕金４０を取り付けることができる。
【００３６】
また更に、電柱５に７本以上の電線８を共架したい場合には、腕金取付部２２に延長腕金５０を増設する。図５は、延長腕金５０の増設例を示す図である。図５に示す突き出し腕金１には、延長腕金４０に加え、更に、第２の延長腕金の一例を構成する延長腕金５０が連結されている。延長腕金５０は、延長腕金４０と同様の中空の角柱金物で構成され、一方の端部を腕金取付部２２に連結される。延長腕金５０は一方の端部に孔部５０ａを開孔されており、延長腕金５０は、孔部５０ａを腕金取付部２２の孔部２２ａと合わせられ、ボルト、ナット等で突き出し金物１に固定される。
【００３７】
延長腕金５０の側面には、例えば３００ｍｍ間隔で３つの孔部５０ｃが開孔されている。孔部５０ｃは３つの取付ポイントを構成し、３本の電線８を共架する。この例で、延長腕金５０の下側に取付部材７を介して電線８が支持される。また勿論、電線８を延長腕金５０の上側に取り付けるようにしてもよい。
【００３８】
延長腕金５０の先端部には、腕金取付部５２が設けられている。腕金取付部５２は、腕金取付部１２と同様に構成されており、ボルト用の孔部５２ａが開孔されている。このように、突き出し金物１に、更に延長腕金５０を増設することにより、合計９本の電線８を支持できるようになる。
【００３９】
またここで、新たに架橋する電線が２つ以下であった場合には、それに見あった長さの延長腕金５０を取り付けることもできる。電柱５に１０本目の電線８を共架したい場合は、更に延長腕金６０を増設する。
【００４０】
図６は、延長腕金６０の増設例を示す図である。図６に示す延長腕金４０及び５０には、連結腕金の一例を構成する延長腕金６０が取り付けられている。延長腕金６０は、中空の角柱金物で例えば長さ８５０ｍｍ程度に構成され、一方の端部を延長腕金４０に取り付けられるとともに、他方の端部を延長腕金５０に取り付けられる。延長腕金６０は長さ方向の両端部に孔部６０ａを開孔されている。
【００４１】
延長腕金６０は、一方の端部の孔部６０ａを、腕金取付部４２の孔部４２ａと合わせられ、ボルト、ナット等で延長腕金４０に固定される。また、他方の端部の孔部６０ａを、腕金取付部５２の孔部５２ａと合わせられ、ボルト、ナット等で延長腕金５０に固定される。
【００４２】
延長腕金６０の中腹部には、この例では１つの孔部６０ｃが開孔されている。孔部６０ｃは１つの取付ポイントを構成し、１本の電線８を共架する。この例では、延長腕金６０の外側に取付部材７を介して電線８が支持される。
【００４３】
延長腕金４０及び５０に、延長腕金６０を連結することにより、突き出し金物１に合計１０本の電線８を支持できるようになる。更に、延長腕金４０と延長腕金５０との先端側の離隔を確実に維持できるようになる。
【００４４】
このようにこの発明の第１の実施例に係る突き出し金物１によれば、所定部位に連結部材３０を連結されるとともに、先端部に延長用の腕金取付部１２及び２２を設けられた腕金部材１０及び２０を備えている。
【００４５】
この構成によって、簡単に延長腕金４０，５０，６０を連結できるので、容易に腕金の長さを変更できる。従って、電柱５に共架するべき電線８が増加した場合に、最適な長さの延長腕金を、必要な本数だけ取り付けることができる。また、電線が増えた場合を想定して、必要以上に長い腕金を取り付けておく必要がないので、腕金による占有領域を抑えられるとともに、美観の低下を最小限に抑えられる。
【００４６】
更に、電柱５に共架する電線８が減った場合にも、容易に不要な延長腕金を撤去したり、短い延長腕金に変更することもできるので、腕金による占有領域を、常に最小限に抑えられる。加えて、連結部材３０が電柱５から所定距離を有して設けられているので、電線８が電柱５に直付けされている場合に比べて、昇柱作業の効率を向上できる。
【００４７】
なお、延長腕金６０の増設例において、延長腕金４０及び５０の孔部４０ｃと５０ｃから先端部までの距離を長くしておくか、もしくは延長腕金６０の両端部を屈曲させてコ字形状にし、水平部の両端部を腕金取付部４２及び５２に取り付けるようにすると、他の電線８との離隔を確保できるようになるので、延長腕金６０に更に多く、例えば３つの取付ポイントを構成できるようになる。
【００４８】
また、腕金部材１０、２０や、連結部材３０、延長腕金４０、５０、６０等にプレート取付部を設けるようにしてもよい。このようにすると、腕金部材に取付支持された電線８の連結先等を記録しておくことができる。
【実施例２】
【００４９】
図７は本発明に係る第２の実施例としての延長腕金７０の増設例を示す図である。図７に示す突き出し金物１には、延長腕金４０の次に、延長腕金５０に替えて延長腕金７０が取り付けられている。
【００５０】
延長腕金７０は、電柱５に７本以上の電線を共架したい場合に、腕金取付部２２と、腕金取付部４２との間に架橋される。延長腕金７０は、例えば中空の角管で構成され、両端部に穴部７０ａが開孔されている。
【００５１】
延長腕金７０は、一方の端部の穴部７０ａを、腕金取付部２２の孔部２２ａと合わせられてボルト、ナット等で連結されるとともに、他方の端部の孔部７０ａを、腕金取付部４２の孔部４２ａと合わせられてボルト、ナット等で連結される。
【００５２】
延長腕金７０の中腹部には、この例では４つの孔部７０ｃが、例えば３００ｍｍ間隔で開孔されている。４つの孔部７０ａは４つの取付ポイントを構成し、４本の電線８を共架する。この例では、延長腕金７０の外側であって上側に、取付部材７を介して電線８が支持される。
【００５３】
このように、この発明の第２の実施例に係る延長腕金７０によれば、電柱５に対して斜めに連結されるものである。従って、小さい占有領域で長い腕金を構成できる。また、延長腕金７０が、延長腕金４０を腕金部材１０に吊り下げるようになるので、延長腕金４０が自重等で傾斜することを防止できる。
【００５４】
なお、腕金部材１０に孔部１０ｃを開孔して、腕金部材１０の下側に電線８を支持することもできる。このようにすると、突き出し金物１の取付ポイントを１つ増設できるので、図１に示したような、延長腕金を取り付けられていない状態の突き出し金物１に、４本の電線８を共架できるようになる。
【００５５】
同様に、腕金部材２０に孔部２０ｃを開孔して、腕金部材２０の上側に電線８を支持することもできる。このようにすると、突き出し金物１の取付ポイントを更に１つ増設できるので、延長腕金を取り付けられていない状態の突き出し金物１に、５本の電線８を共架できるようになる。
【産業上の利用可能性】
【００５６】
本発明は、電線支持物に設置される共架物一括取付型の突き出し金物に適用して極めて好適である。
【図面の簡単な説明】
【００５７】
【図１】第１の実施例としての突き出し金物１の構成例を示す斜視図である。
【図２】突き出し金物１への電線取付例を示す図である。
【図３】腕金取付部１２，１２’，１２''と延長腕金４０との連結例を示す概略断面図である。
【図４】延長腕金４０の増設例を示す図である。
【図５】延長腕金５０の増設例を示す図である。
【図６】延長腕金６０の増設例を示す図である。
【図７】第２の実施例としての延長腕金７０の増設例を示す図である。
【符号の説明】
【００５８】
１・・・突き出し金物、５・・・電柱、７・・・取付部材、８・・・電線、１０，２０・・・腕金部材、３０・・・連結部材、４０，５０，６０，７０・・・延長腕金
【図１】
2009065804.tif 000003
【図２】
2009065804.tif 000004
【図３】
2009065804.tif 000005
【図４】
2009065804.tif 000006
【図５】
2009065804.tif 000007
【図６】
2009065804.tif 000008
【図７】
2009065804.tif 000009